(57)【特許請求の範囲】
【請求項１】
棒状化粧料保持用の有底筒状の繰出筒１と、この繰出筒１が繰出自在に収容される有底筒状の内筒２と、この内筒２に相対回動自在に外嵌される外筒３と、上記内筒２に一体的に取り付けられそれ自体の回動により上記繰出筒１を進退させる回動操作部７を備え、上記繰出筒１の周壁部分の外周面にガイド突部１１を突設し、上記ガイド突部１１の外周面にらせん溝１０を刻設し、上記内筒２の周壁部分に、上記ガイド突部１１に挿通状に係合して外部に突出する縦穴２ａを形成し、この縦穴２ａの上端部から上記内筒２の周壁部分の上端面に達する拡径用の縦溝１６を切欠き形成し、上記外筒３の内周面に、上記ガイド突部１１のらせん溝１０にら合するらせん溝２１を刻設し、上記回動操作部７を、上記外筒３に回動自在に外嵌される筒状の袴４と、上記内筒２の下端部外周面から突設され上記袴４の下端開口部４ａに固着される筒状の鍔部１７とで構成し、この鍔部１７の外周部を段落ち状に形成し、この鍔部１７の外周部の段落ち部に対応する上記袴４の下端開口部４ａの下端面の部分に複数個のリブ２５を下向きに突設し、これら複数個のリブ２５を上記鍔部１７の段落ち部にかしめて溶着し、上記外筒３の下端部外周面から環状の鍔部２０を突設して、この鍔部２０を上記内筒２の鍔部１７上に回動自在に載置し、上記袴４の下端部内周面から、上記外筒３の鍔部２０と係合してこの鍔部２０が上方に抜け出すのを防止する抜け止め係合部２４ｂを突設したことを特徴とする棒状化粧料容器。
【請求項２】
上記内筒２の周壁部分の外周面に、上記外筒３の内周面に摺接する突部１８を突設した請求項１記載の棒状化粧料容器。
【発明の詳細な説明】
【０００１】
【発明の属する技術分野】
本発明は、口紅，リップクリーム，チック等の棒状化粧料を容器から繰り出して使用する棒状化粧料容器に関するものである。
【０００２】
【従来の技術】
最近、口紅等の棒状化粧料の繰り出し容器として、その組立工程を簡素化したものが、特開平８−２７５８２２号公報に提案されている。この棒状化粧料繰り出し容器は、図１５に示すように、棒状化粧料３０の下部を保持する保持筒３１と、この保持筒３１を上下摺動自在に内装するガイド筒３２と、このガイド筒３２に回動自在に外嵌し内周面に浅くて細かいローレットらせん溝３３ａを刻設したスリーブ３３（図１６参照）と、上記ガイド筒３２の下端大径部を止着する外筒３４と、この外筒３４に冠着するキャップ３５とを備えており、保持筒３１の外周面に突設したら合部３１ａを、ガイド筒３２に穿設したガイド溝３２ａに挿通して横側方に突出させることにより、スリーブ３３のローレットらせん溝３３ａにら合させている。図において、３２ｂはガイド筒３２の下部外周面に形成した環状溝であり、３３ｂはスリーブ３３の下端部に等間隔をあけて内向きに形成した３つの突部であり、各突部３３ｂがガイド筒３２の環状溝３２ｂに回動自在に係合している。この棒状化粧料繰り出し容器を使用する場合には、スリーブ３３と外筒３４とを相対回動させることにより、外筒３４に止着したガイド筒３２とスリーブ３３とを相対回動させ、この相対回動に伴い保持筒３１を昇降させることを行う。これにより、ガイド筒３２の上端開口部から棒状化粧料３０を繰り出したり、繰り下げたりすることができる。このものでは、組み立て時に、保持筒３１のら合部３１ａとスリーブ３３のローレットらせん溝３３ａとを位置合わせすることなく、保持筒３１を内装したガイド筒３２にスリーブ３３を外嵌させるだけで、上記ら合部３１ａとローレットらせん溝３３ａとをら合させることができ、組み立てが簡単である。
【０００３】
【発明が解決しようとする課題】
しかしながら、このものでは、ガイド筒３２の下部外周面に環状溝３２ｂ（いわゆるアンダーカット）を形成するのに、特別の治具が必要になるため、製品コストが高価になる。しかも、スリーブ３３の各突部３３ｂをガイド筒３２の環状溝３２ｂに係合する際に、スリーブ３３の下端部を拡径させなければならず、この拡径によりスリーブ３３が変形，破損等するおそれがある。
【０００４】
本発明は、このような事情に鑑みなされたもので、安価で、組み立てに際し変形，破損等するおそれのない棒状化粧料容器の提供をその目的とする。
【０００５】
【課題を解決するための手段】
上記の目的を達成するため、本発明の棒状化粧料容器は、棒状化粧料保持用の有底筒状の繰出筒と、この繰出筒が繰出自在に収容される有底筒状の内筒と、この内筒に相対回動自在に外嵌される外筒と、上記内筒に一体的に取り付けられそれ自体の回動により上記繰出筒を進退させる回動操作部を備え、上記繰出筒の周壁部分の外周面にガイド突部を突設し、上記ガイド突部の外周面にらせん溝を刻設し、上記内筒の周壁部分に、上記ガイド突部に挿通状に係合して外部に突出する縦穴を形成し、この縦穴の上端部から上記内筒の周壁部分の上端面に達する拡径用の縦溝を切欠き形成し、上記外筒の内周面に、上記ガイド突部のらせん溝にら合するらせん溝を刻設し、上記回動操作部を、上記外筒に回動自在に外嵌される筒状の袴と、上記内筒の下端部外周面から突設され上記袴の下端開口部に固着される筒状の鍔部とで構成し、この鍔部の外周部を段落ち状に形成し、この鍔部の外周部の段落ち部に対応する上記袴の下端開口部の下端面の部分に複数個のリブを下向きに突設し、これら複数個のリブを上記鍔部の段落ち部にかしめて溶着し、上記外筒の下端部外周面から環状の鍔部を突設して、この鍔部を上記内筒の鍔部上に回動自在に載置し、上記袴の下端部内周面から、上記外筒の鍔部と係合してこの鍔部が上方に抜け出すのを防止する抜け止め係合部を突設したという構成をとる。
【０００６】
すなわち、本発明の棒状化粧料容器は、棒状化粧料保持用の繰出筒と内筒と外筒と回動操作部とを備えており、この回動操作部を、外筒に回動自在に外嵌される筒状の袴と、内筒の下端部外周面から突設され袴の下端開口部に固着される筒状の鍔部とで構成している。また、外筒の下端部外周面から突設した環状の鍔部を内筒の鍔部上に回動自在に載置し、袴の下端部内周面から、外筒の鍔部と係合してこの鍔部が上方に抜け出すのを防止する抜け止め係合部を突設している。このものを組み立てる場合には、まず、繰出筒を内筒に繰出自在に収容し、外筒を内筒に相対回動自在に外嵌する。ついで、外筒を下降させて外筒の鍔部を内筒の鍔部上に回動自在に載置し、つぎに、これを袴の下方に位置決めして袴の下端開口部から袴の内部に挿入し、外筒の鍔部を袴の抜け止め係合部に回動自在に略当接させる。そののち、内筒の鍔部を袴の下端開口部に固着することを行う。この状態で、袴を外筒に対して相対回動させると、この相対回動に伴い内筒が外筒に対して相対回動し、この相対回動する内筒に繰出筒が連れ回りし、この連れ回りにより繰出筒が進退する（繰り出されたり、繰り下げられたりする）。このように、本願発明では、外筒に従来例のような環状溝（アンダーカット）を形成することなく、外筒と内筒とを相対回動自在に組み立てることができるため、従来例のような特別の治具を必要とせず、製品コストが安価になる。しかも、組み立て時に、外筒等を拡径させることがないため、外筒等の変形，破損等が発生するおそれがない。さらに、このような優れた効果を奏しながらも、部品点数を増やす必要がなく、かつ、組み立て作業が容易であるという利点もある。
【０００７】
また、本発明において、上記内筒の外周面に、上記外筒の内周面に摺接する突部を突設した場合には、内筒の外周面と外筒の内周面との間に微小隙間があっても、内筒の外周面に突設した突部が外筒の内周面に摺接し、両周面の間にがたつきが生じず、スムーズに回動する。
【０００８】
【発明の実施の形態】
つぎに、本発明の実施の形態を図面にもとづいて詳しく説明する。
【０００９】
【実施例】
図１は本発明の棒状化粧料容器の一実施の形態を示している。この棒状化粧料容器は、棒状化粧料６が保持されるＡＢＳ樹脂（アクリロニトリルブタジエンスチレン共重合体）製の中皿（繰出筒）１と、この中皿１が繰り出し自在に収容されるＡＢＳ樹脂製の内筒２と、この内筒２に相対回動自在に外嵌されるＰＣ樹脂（ポリカーボネート）製もしくはＡＢＳ樹脂製のスリーブ３（外筒）と、このスリーブ３に相対回転自在に外嵌されるＡＢＳ樹脂製の袴（回動操作部７の一方を構成している）４と、この袴４に冠着されるＡＢＳ樹脂製のキャップ５からなる（図２参照）。
【００１０】
より詳しく説明すると、上記中皿１は有底円筒状に形成されており、図３〜図５に示すように、その外周面の相対峙する位置に、縦長形状（長方形の４隅が１／４円弧状に切欠かれている）の薄肉湾曲板体からなる一対のガイド突部１１が突設されている。これら両ガイド突部１１には、その表面にらせん溝１０が刻設されており、それぞれ、後述するスリーブ３のらせん溝２１にら合するらせん形状に形成されている。また、上記中皿１には、その内周面に等間隔をあけて、棒状化粧料６の回り止め用および抜け止め用として縦リブ１２が四本突設されている。図３において、１３は上記中皿１の底壁１ａの中央部に穿設された貫通孔である。
【００１１】
上記内筒２は有底円筒状に形成されており、図６〜図８に示すように、その周壁部分の相対峙する位置に、その上端部から下端部に垂直に延びる縦穴２ａが形成されているとともに、これら両縦穴２ａの上端部および下端部に横穴２ｂが周方向に切欠き形成されている。これら両縦穴２ａのうち、一方の縦穴２ａには、その上端部から上端開口面に達する拡径用の隙間（縦溝）１６が垂直に切欠き形成されている。また、上記内筒２の下端部には、その外周面から円環状の段付き鍔部１７（回動操作部７の他方を構成している）が突設されている。この鍔部１７は、上側の小径円環状部分１７ａと、下側の大径円環状部分１７ｂからなり、小径円環状部分１７ａの上面に後述するスリーブ３の鍔部２０を回動自在に載置し、大径円環状部分１７ｂの上面に後述する袴４のリブ２５を固着するようにしている。一方、上記内筒２の周壁部分の下端部に（上記鍔部２０のすぐ上側に）は、その外周面の相対峙する位置に、スリーブ３の内周面に摺接する２つの摺接突部１８が突設されており、それぞれ、断面形状略円形の山形隆起体（側面視では、略長方形である）に形成されている。
【００１２】
上記スリーブ３は円筒状に形成されており、図９および図１０に示すように、その内周面に、上記両ガイド突部１１のらせん溝１０にら合するらせん溝２１が刻設されている。このらせん溝２１は、３７．７ｍｍの間に３６条の右ねじを設けたものであり、そのねじ山高さは０．５ｍｍに設定されている。また、このらせん溝２１の下側部分の内周面は、上記内筒２の摺接突部１８に摺接する円柱面に形成されている。一方、上記スリーブ３の下端部外周面から円環状の鍔部２０が突設されており、上記内筒２の小径円環状部分１７ａの上面に回動自在に載置される。このようなスリーブ３の外周面には紫外線カット層が蒸着もしくは塗装により形成されている。図において、２２は上記スリーブ３の下端部外周面に多数刻設された縦溝であり、上記らせん溝２１加工時にスリーブ３を回り止めするために利用する。
【００１３】
上記袴４は、図１１〜図１３に示すように、円筒状に形成されており、上部に形成された細径部４ａには、後述するキャップ５の円環状溝５ａに圧接状に内嵌する３つの突部２３が等間隔をあけて突設されている。また、上記袴４には、その下端開口部４ａに円環状の二段の段部２４が形成されており、（上記内筒２の鍔部１７の大径円環状部分１７ｂが納まる）下側段部２４ａの天井面に等間隔をあけて、周方向に沿って略１／１８円弧状に延びる１２個のリブ２５が下向きに突設されている。これらリブ２５は、上記内筒２の鍔部１７の大径円環状部分１７ｂの上面にかしめられ、超音波溶接により固着される。また、（上記内筒２の鍔部１７の小径円環状部分１７ａが納まる）上側段部（抜け止め係合部）２４ｂの天井面の高さ（両段部２４ａ，２４ｂの天井面間の距離）は、上記スリーブ３の鍔部２０の高さと略同じ高さに（やや高く）形成されている。一方、上記上側段部２４ｂの天井面の内径は、上記スリーブ３の鍔部２０の外径よりやや小径に形成されており、かつ、天井面の外径は、上記スリーブ３の鍔部２０の外径よりやや大径に形成されている。これにより、上記上側段部２４ｂは、スリーブ３の鍔部２０に回動自在に係合しかつこの鍔部２０が上方へ抜け出すのを防止する作用をする。一方、上記キャップ５は、図１４に示すように、有天円筒状に形成されており、その下端部内周面に、上記袴４の細径部４ａの各突部２３に圧接状に外嵌する円環状溝５ａが形成されている。
【００１４】
このような棒状化粧料容器を、つぎのようにして組み立てることができる。すなわち、まず、内筒２の上端開口部の上方に中皿１を配置し、内筒２の両縦穴２ａに中皿１の両ガイド突部１１を位置決めし、その状態で、中皿１を内筒２側に押し込む。これにより、両ガイド突部１１の一方が内筒２の上端部を拡径しながら内筒２の隙間１６を通り、内筒２の縦穴２ａに係合する。ついで、内筒２の上方からスリーブ３を挿通させる。これにより、両ガイド突部１１のらせん溝１０とスリーブ３のらせん溝２１とがら合する。つぎに、スリーブ３を下降させて、スリーブ３の鍔部２０を内筒２の鍔部１７の小径円環状部分１７ａの上面に載置する。つぎに、スリーブ３の上方から袴４を挿通させて外嵌状に装着し、袴４の下側段部２４ａのリブ２５を内筒２の大径円環状部分１７ｂの上面に当接状に係合させる。このとき、袴４の上側段部２４ｂの天井面がスリーブ３の鍔部２０の上面に略当接するようになる。つぎに、袴４の細径部４ａにキャップ５を冠着する。そののち、袴４のリブ２５を内筒２の大径円環状部分１７ｂの上面に超音波溶接により固着することを行う。なお、この固着は、キャップ５を冠着する前に行ってもよい。
【００１５】
このようにして組み立てられた棒状化粧料容器は、袴４およびこの袴４に一体的に取り付けられた内筒２がスリーブ３に対して相対回動自在になっており、袴４をスリーブ３に対して相対回動させると、この相対回動に伴い内筒２がスリーブ３に対して相対回動し、この内筒２の回動により連れ回りする中皿１が縦穴２ａ内を上下移動する。これにより、中皿１が内筒２内を昇降する。そして、不使用時には、中皿１を下降させてその下降端位置で周方向に回動させて横穴２ｂに係合させ、不用意に中皿１が上昇しないようにし、この状態でキャップ５を袴４の細径部４ａに冠着させておく。また、使用時には、キャップ５を取り外してスリーブ３を露呈させ、袴４をスリーブ３に対して相対的に回動させる。これにより、中皿１が袴４と連れ回りして上昇する。その上昇端位置で周方向に回動させて横穴２ｂに係合させ、不用意に中皿１が下降しないようにする。これで棒状化粧料６がスリーブ３の上端開口から突出して使用可能状態になる。
【００１６】
このように、上記実施の形態では、スリーブ３の鍔部２０が内筒２の小径円環状部分１７ａと袴４の上側段部２４ｂ間に回動自在に配設されているため、内筒２とスリーブ３が周方向に相対回動して、この回動がスムーズに行われるうえ、上記上側段部２４ｂがスリーブ３の抜け止め用として作用している。しかも、スリーブ３に従来例のような環状溝３２ｂを形成する必要がなく、製品コストが安価になる。さらに、組み立て時に、スリーブ３等を拡径させることがないため、スリーブ３等の変形，破損等が発生しない。さらに、部品点数が増えず、組み立て作業が容易である。そのうえ、回動時に、内筒２の摺接突部１８がスリーブ３の内周面に摺接しているため、内筒２とスリーブ３との間にがたつきが生じず、両者がスムーズに相対回動する。
【００１７】
【発明の効果】
以上のように、本発明の棒状化粧料容器によれば、外筒に従来例のような環状溝（アンダーカット）を形成することなく、外筒と内筒とを相対回動自在に組み立てることができるため、従来例のような特別の治具を必要とせず、製品コストが安価になる。しかも、組み立て時に、外筒等を拡径させることがないため、外筒等の変形，破損等が発生するおそれがない。さらに、このような優れた効果を奏しながらも、部品点数を増やす必要がなく、かつ、組み立て作業が容易であるという利点もある。
【００１８】
また、本発明において、上記内筒の外周面に、上記外筒の内周面に摺接する突部を突設した場合には、内筒の外周面と外筒の内周面との間に微小隙間があっても、内筒の外周面に突設した突部が外筒の内周面に摺接し、両周面の間にがたつきが生じず、スムーズに回動する。
【図面の簡単な説明】
【図１】本発明の棒状化粧料容器の一実施の形態を示す断面図である。
【図２】上記棒状化粧料容器の分解斜視図である。
【図３】中皿の断面図である。
【図４】上記中皿の側面図である。
【図５】上記中皿の平面図である。
【図６】内筒の平面図である。
【図７】上記内筒の断面図である。
【図８】上記内筒の側面図である。
【図９】スリーブの断面図である。
【図１０】スリーブの底面図である。
【図１１】袴の断面図である。
【図１２】上記袴の平面図である。
【図１３】上記袴の底面図である。
【図１４】キャップの断面図である。
【図１５】従来例を示す断面図である。
【図１６】従来例のスリーブの斜視図である。
【符号の説明】
１  中皿
２  内筒
３  スリーブ
４  袴
４ａ  下端開口部
６  棒状化粧料
７  回動操作部
１７，２０  鍔部
２４ｂ  上側段部
【図１】
0004121593.tif 000002
【図２】
0004121593.tif 000003
【図３】
0004121593.tif 000004
【図４】
0004121593.tif 000005
【図５】
0004121593.tif 000006
【図６】
0004121593.tif 000007
【図７】
0004121593.tif 000008
【図８】
0004121593.tif 000009
【図９】
0004121593.tif 000010
【図１０】
0004121593.tif 000011
【図１１】
0004121593.tif 000012
【図１２】
0004121593.tif 000013
【図１３】
0004121593.tif 000014
【図１４】
0004121593.tif 000015
【図１５】
0004121593.tif 000016
【図１６】
0004121593.tif 000017